(57)【要約】【課題】設備規模の増加を抑制しながら、避難場所へ誘導する技術を提供する。【解決手段】受信部３２は、信号を受信する。送信部３４は、受信した信号の宛先が本無線装置２０である場合に、信号を送信する。記憶部２４は、受信した信号の履歴を記憶する。予測部２６は、記憶部２４に記憶した履歴と、受信した信号をもとに、本無線装置２０が宛先となる信号の受信のタイミングを予測する。指示部２８は、予測部２６において予測したタイミングが到来しても、受信部３２において、本無線装置２０が宛先となる信号を非受信である場合に、送信部３４に信号の送信を指示する。【選択図】図３
2016164763.tif 000002
【特許請求の範囲】
【請求項１】
信号を転送する無線装置であって、
他の無線装置からの信号を受信する受信部と、
前記受信部において受信した信号の宛先が本無線装置である場合に、信号を送信する送信部と、
前記受信部において受信した信号の履歴を記憶する記憶部と、
前記記憶部に記憶した履歴と、前記受信部において受信した信号をもとに、本無線装置が宛先となる信号の受信のタイミングを予測する予測部と、
前記予測部において予測したタイミングが到来しても、前記受信部において、本無線装置が宛先となる信号を非受信である場合に、前記送信部に信号の送信を指示する指示部と、
を備えることを特徴とする無線装置。
【請求項２】
前記受信部において受信した信号には、送信元を示す情報と宛先を示す情報との組合せが含まれており、
前記記憶部は、履歴として、受信した信号の順番にしたがって、送信元を示す情報と宛先を示す情報との組合せを記憶し、
前記予測部は、前記記憶部に記憶した組合せと、前記受信部において受信した信号に含まれた組合せとをもとに、タイミングを予測することを特徴とする請求項１に記載の無線装置。
【請求項３】
前記受信部において受信した信号には、送信元を示す情報が含まれており、
前記送信部は、前記受信部において受信した信号に含まれた送信元を示す情報と、前記受信部において受信した信号の宛先との関係を予め認識しており、前記受信部において受信した信号に含まれた送信元を示す情報から、前記受信部において受信した信号の宛先が本無線装置であるか否かを判定し、
前記記憶部は、履歴として、受信した信号の順番にしたがって、送信元を示す情報を記憶し、
前記予測部は、前記記憶部に記憶した送信元を示す情報と、前記受信部において受信した信号に含まれた送信元を示す情報とをもとに、タイミングを予測することを特徴とする請求項１に記載の無線装置。
【請求項４】
前記指示部は、前記予測部において予測したタイミングが到来してから所定の期間が経過しても、前記受信部において、本無線装置が宛先となる信号を非受信である場合に、前記送信部に信号の送信を指示することを特徴とする請求項１から３のいずれか１項に記載の無線装置。
【請求項５】
本無線装置は、誘導灯に接続されており、
前記受信部において受信した信号によって、前記誘導灯の点灯と、点灯に続く消灯とが指示され、
前記指示部が送信を指示した場合、前記受信部において信号が受信されていても、前記誘導灯の点灯と、点灯に続く消灯とがなされることを特徴とする請求項１から４のいずれか１項に記載の無線装置。
【請求項６】
信号を転送し、かつ誘導灯に接続された無線装置であって、
他の無線装置からの信号であって、かつ前記誘導灯の点灯と、点灯に続く消灯とが指示される信号を受信する受信部と、
前記受信部において受信した信号の宛先が本無線装置である場合に、信号を送信する送信部と、
他の無線装置に同期したタイミングを取得する同期部とを備え、
前記同期部において取得したタイミングをもとに、前記受信部において信号を受信してから一定間隔毎に、前記誘導灯の点灯と、点灯に続く消灯とがなされることを特徴とする無線装置。
【請求項７】
信号を転送する複数の無線装置を備え、
前記複数の無線装置のうちの少なくとも１つは、
他の無線装置からの信号を受信する受信部と、
前記受信部において受信した信号の宛先が本無線装置である場合に、信号を送信する送信部と、
前記受信部において受信した信号の履歴を記憶する記憶部と、
前記記憶部に記憶した履歴と、前記受信部において受信した信号をもとに、本無線装置が宛先となる信号の受信のタイミングを予測する予測部と、
前記予測部において予測したタイミングが到来しても、前記受信部において、本無線装置が宛先となる信号を非受信である場合に、前記送信部に信号の送信を指示する指示部と、
を備えることを特徴とする通信システム。
【請求項８】
信号を転送し、かつ誘導灯に接続された複数の無線装置を備え、
前記複数の無線装置のうちの少なくとも１つは、
他の無線装置からの信号であって、かつ前記誘導灯の点灯と、点灯に続く消灯とが指示される信号を受信する受信部と、
前記受信部において受信した信号の宛先が本無線装置である場合に、信号を送信する送信部と、
他の無線装置に同期したタイミングを取得する同期部とを備え、
前記同期部において取得したタイミングをもとに、前記受信部において信号を受信してから一定間隔毎に、前記誘導灯の点灯と、点灯に続く消灯とがなされることを特徴とする通信システム。
【発明の詳細な説明】
【技術分野】
【０００１】
本発明は通信技術に関し、特に所定の信号を送信したり、受信したりする無線装置およびそれを利用した通信システムに関する。
【背景技術】
【０００２】
火災等の非常事態が発生した場合に、避難方向を表示して迅速かつ安全な避難行動を可能にすることが求められている。そのために、避難口に至る経路に沿って、通信用の伝送路が敷設され、通信用の伝送路に複数の誘導表示装置が接続される（例えば、特許文献１参照）。
【先行技術文献】
【特許文献】
【０００３】
【特許文献１】特開２０１３−２４２６８７号公報
【発明の概要】
【発明が解決しようとする課題】
【０００４】
ビル等の建物内における避難方向を示すため、廊下等の経路に通信用の伝送路を敷設することは可能であった。しかしながら、屋外における避難方向を示すために、通信用の伝送路を敷設することは設備の規模が大きくなり、かつ工事規模も大きくなる。
【０００５】
本発明はこうした状況に鑑みなされたものであり、その目的は、設備規模の増加を抑制しながら、避難場所へ誘導する技術を提供することにある。
【課題を解決するための手段】
【０００６】
上記課題を解決するために、本発明のある態様の無線装置は、信号を転送する無線装置であって、他の無線装置からの信号を受信する受信部と、受信部において受信した信号の宛先が本無線装置である場合に、信号を送信する送信部と、受信部において受信した信号の履歴を記憶する記憶部と、記憶部に記憶した履歴と、受信部において受信した信号をもとに、本無線装置が宛先となる信号の受信のタイミングを予測する予測部と、予測部において予測したタイミングが到来しても、受信部において、本無線装置が宛先となる信号を非受信である場合に、送信部に信号の送信を指示する指示部と、を備える。
【０００７】
本発明の別の態様もまた、無線装置である。この装置は、信号を転送し、かつ誘導灯に接続された無線装置であって、他の無線装置からの信号であって、かつ誘導灯の点灯と、点灯に続く消灯とが指示される信号を受信する受信部と、受信部において受信した信号の宛先が本無線装置である場合に、信号を送信する送信部と、他の無線装置に同期したタイミングを取得する同期部とを備える。同期部において取得したタイミングをもとに、受信部において信号を受信してから一定間隔毎に、誘導灯の点灯と、点灯に続く消灯とがなされる。
【０００８】
本発明のさらに別の態様は、通信システムである。この通信システムは、信号を転送する複数の無線装置を備える。複数の無線装置のうちの少なくとも１つは、他の無線装置からの信号を受信する受信部と、受信部において受信した信号の宛先が本無線装置である場合に、信号を送信する送信部と、受信部において受信した信号の履歴を記憶する記憶部と、記憶部に記憶した履歴と、受信部において受信した信号をもとに、本無線装置が宛先となる信号の受信のタイミングを予測する予測部と、予測部において予測したタイミングが到来しても、受信部において、本無線装置が宛先となる信号を非受信である場合に、送信部に信号の送信を指示する指示部と、を備える。
【０００９】
本発明のさらに別の態様もまた、通信システムである。この通信システムは、信号を転送し、かつ誘導灯に接続された複数の無線装置を備える。複数の無線装置のうちの少なくとも１つは、他の無線装置からの信号であって、かつ誘導灯の点灯と、点灯に続く消灯とが指示される信号を受信する受信部と、受信部において受信した信号の宛先が本無線装置である場合に、信号を送信する送信部と、他の無線装置に同期したタイミングを取得する同期部とを備える。同期部において取得したタイミングをもとに、受信部において信号を受信してから一定間隔毎に、誘導灯の点灯と、点灯に続く消灯とがなされる。
【００１０】
なお、以上の構成要素の任意の組み合わせ、本発明の表現を方法、装置、システムなどの間で変換したものもまた、本発明の態様として有効である。
【発明の効果】
【００１１】
本発明によれば、設備規模の増加を抑制しながら、避難場所へ誘導できる。
【図面の簡単な説明】
【００１２】
【図１】本発明の実施例１に係る照明設備の部分的な構成を示す図である。
【図２】図２（ａ）−（ｉ）は、本発明の実施例１に係る誘導灯システムの構成を示す図である。
【図３】本発明の実施例１に係る無線装置と誘導灯の構成を示す図である。
【図４】図４（ａ）−（ｆ）は、図３の無線装置による信号の転送の概要を示す図である。
【図５】図３の記憶部に記憶されるデータベースのデータ構造を示す図である。
【図６】図３の無線装置と誘導灯による処理手順を示すフローチャートである。
【図７】本発明の実施例２に係る記憶部に記憶されるデータベースのデータ構造を示す図である。
【図８】本発明の実施例３に係る無線装置と誘導灯の構成を示す図である。
【図９】図８の無線装置と誘導灯による処理手順を示すフローチャートである。
【発明を実施するための形態】
【００１３】
（実施例１）
本発明を具体的に説明する前に、概要を述べる。本発明の実施例１は、避難経路に沿って設置された複数の誘導灯を含む誘導灯システムに関する。複数の誘導灯のそれぞれは、無線装置に接続されており、無線装置間においてマルチホップにより信号が伝送される。そのため、１つの無線装置が次の無線装置に信号を送信し、次の無線装置は、信号を受信すると、さらに次の無線装置に信号を送信する。このように複数の無線装置において信号がバケツリレー方式で転送される。また、信号を受信している無線装置に接続した誘導灯が点灯し、その後、消灯する。つまり、信号の伝送に追従して、点灯する誘導灯が切りかわっていく。
【００１４】
図１は、本発明の実施例１に係る照明設備１８の部分的な構成を示す。照明設備１８は、誘導灯１０、防犯灯１２、蓄電ボックス１４、ポール１６を含む。図１では、ポール１６の一部が示されており、例えば、地上から約４．５ｍの部分を示す。ポール１６には、防犯灯１２が取り付けられる。防犯灯１２は、防犯を目的として街路などに設置した電灯であり、道路照明灯より照射範囲が狭い。防犯灯１２は、夜間不特定多数の人が通行する生活道路で、暗くて通行に支障がある場所や、防犯上不安のある場所に設置される。防犯灯１２は、設置場所の状況に応じて、電柱に共架される場合や、専用の照明柱を建て取り付けられる場合がある。
【００１５】
蓄電ボックス１４は、ポール１６に取り付けられる。蓄電ボックス１４には、図示しない蓄電池が格納されており、電力系統が停電になった場合に、防犯灯１２、後述の誘導灯１０に電力を供給する。なお、停電でない場合、蓄電ボックス１４、誘導灯１０には、電力系統からの電力が供給される。蓄電ボックス１４の下部には、誘導灯１０が配置される。誘導灯１０は、通常時に消灯しており、災害時に点灯・消灯を繰り返す。誘導灯１０には、図示しない無線装置が接続される。無線装置による通信、誘導灯１０の点灯・消灯の動作に関しては、後述する。
【００１６】
図２（ａ）−（ｉ）は、本発明の実施例１に係る誘導灯システム１００の構成を示す。図２（ａ）のごとく、誘導灯システム１００は、誘導灯１０と総称される第１誘導灯１０ａから第８誘導灯１０ｈを含む。図２（ａ）では、誘導灯システム１００に含まれる誘導灯１０の数を「８」としたがこれに限定されない。複数の誘導灯１０のそれぞれは、避難所に向かう経路に沿って、図１のような照明設備１８として設置される。ここでは、第８誘導灯１０ｈの近傍に避難所が設けられており、第１誘導灯１０ａから第８誘導灯１０ｈの方向に、住民等を避難させる場合を例示する。図２（ｂ）から図２（ｉ）は、各誘導灯１０が点灯あるいは消灯している状態を示しており、白丸が点灯状態に相当し、黒丸が消灯状態に相当する。先頭の第１誘導灯１０ａに警報等の信号が入力されると、図２（ｂ）のごとく、第１誘導灯１０ａが点灯する。その際、他の誘導灯１０は消灯する。
【００１７】
図２（ａ）に示した第１誘導灯１０ａから第２誘導灯１０ｂへの矢印のごとく、第１誘導灯１０ａに接続された無線装置（図示せず）から第２誘導灯１０ｂに接続された無線装置（図示せず）にパケット信号が送信される。第２誘導灯１０ｂがパケット信号を受信すると、誘導灯１０は図２（ｃ）に示した状態に移行する。図２（ｃ）では、パケット信号を送信した無線装置に接続された第１誘導灯１０ａは、点灯から消灯に移行する。一方、パケット信号を受信した無線装置に接続された第２誘導灯１０ｂは、消灯から点灯に移行する。
【００１８】
図２（ａ）に示すように、このようなパケット信号は、第２誘導灯１０ｂ、第３誘導灯１０ｃ、・・・、第８誘導灯１０ｈの順に転送されていく。また、図２（ｄ）から図２（ｉ）に示すように、パケット信号の転送に合わせて、パケット信号を受信している誘導灯１０だけが点灯し、それ以外の誘導灯１０は消灯する。その結果、第１誘導灯１０ａから第８誘導灯１０ｈへの方向の避難を促すように、点灯している誘導灯１０が変わっていく。第１誘導灯１０ａは、消灯してから一定期間経過すると再び点灯する。また、第１誘導灯１０ａに接続された無線装置は、第２誘導灯１０ｂに接続された無線装置にパケット信号を送信する。このように、前述の処理が繰り返される。
【００１９】
図３は、本発明の実施例１に係る無線装置２０と誘導灯１０の構成を示す。無線装置２０は、通信部２２、記憶部２４、予測部２６、指示部２８、受付部３０を含み、通信部２２は、受信部３２、送信部３４を含む。誘導灯１０は、処理部４０、照明部４２を含む。無線装置２０は、図１の蓄電ボックス１４の中に格納されており、図２（ａ）のように、パケット信号を転送する。
【００２０】
通信部２２は、所定の無線通信システムに対応した通信を実行する。ここで、無線通信システムとして、任意のものが使用されればよいが、少なくとも図２（ａ）のような無線装置２０間のマルチホップによる転送機能を有する。無線通信システムの一例は、無線ＬＡＮ（Ｌｏｃａｌ  Ａｒｅａ  Ｎｅｔｗｏｒｋ）システム、近距離無線通信システムである。ここでは、図４（ａ）−（ｆ）を使用しながら、複数の無線装置２０による通信をさらに詳細に説明する。
【００２１】
図４（ａ）−（ｆ）は、無線装置２０によるパケット信号の転送の概要を示す図である。図４（ａ）は、第１無線装置２０ａから第５無線装置２０ｅのごとく、５つの無線装置２０を示す。第１無線装置２０ａから第５無線装置２０ｅは、図２（ａ）に示された第１誘導灯１０ａから第５誘導灯１０ｅに１対１で接続される。また、説明を明瞭にするために、隣接した無線装置２０間の距離は、２５ｍであり、各無線装置２０から送信されるパケット信号の到達距離は、１００ｍであるとする。そのため、図４（ｂ）のごとく、第１無線装置２０ａから送信されたパケット信号は、本来の宛先である第２無線装置２０ｂに受信されるとともに、第３無線装置２０ｃから第５無線装置２０ｅにも受信される。
【００２２】
また、図４（ｃ）のごとく、第２無線装置２０ｂから送信されたパケット信号は、本来の宛先である第３無線装置２０ｃに受信されるとともに、第４無線装置２０ｄ、第５無線装置２０ｅにも受信される。なお、当該パケット信号は、図示しない第６無線装置２０ｆにも受信されるが、ここでは、説明を明瞭にするために、第６無線装置２０ｇおよびそれに続く無線装置２０を説明から省略する。さらに、図４（ｄ）のごとく、第３無線装置２０ｃから送信されたパケット信号は、本来の宛先である第４無線装置２０ｄに受信されるとともに、第５無線装置２０ｅにも受信される。図４（ｅ）のごとく、第４無線装置２０ｄから送信されたパケット信号は、本来の宛先である第５無線装置２０ｅに受信される。
【００２３】
その結果、第５無線装置２０ｅは、第４無線装置２０ｄから送信されたパケット信号であって、かつ自らが宛先となっているパケット信号を受信する。また、第５無線装置２０ｅは、第１無線装置２０ａから第４無線装置２０ｄのそれぞれから送信されたパケット信号であって、かつ自らが宛先となっていないパケット信号も受信する。図４（ｆ）についての説明は後述する。図３に戻る。
【００２４】
受信部３２は、他の無線装置２０からのパケット信号を受信する。受信したパケット信号には、送信元を示す情報と宛先を示す情報との組合せが含まれている。送信元を示す情報とは、当該パケット信号を送信した無線装置２０を識別するための情報であり、宛先を示す情報とは、当該パケット信号に含まれたデータを知らせるべき無線装置２０を識別するための情報である。例えば、図４（ｅ）においては、送信元を示す情報が第４無線装置２０ｄを識別する情報であり、宛先を示す情報が第５無線装置２０ｅを識別する情報である。受信部３２は、組合せを記憶部２４、予測部２６、指示部２８に出力する。
【００２５】
指示部２８は、受信部３２からの組合せを入力する。指示部２８は、組合せのうち、宛先を示す情報を抽出する。指示部２８は、宛先を示す情報が本無線装置２０であるかを確認する。指示部２８は、受信部３２において受信したパケット信号の宛先が本無線装置２０である場合に、パケット信号を生成し、当該パケット信号の送信を送信部３４に指示する。その際、指示部２８は、送信元を示す情報として、本無線装置２０を識別する情報を設定し、宛先を示す情報として、予め定められた無線装置２０を識別する情報を設定する。送信部３４は、指示部２８からの指示にしたがって、指示部２８から受けつけたパケット信号を送信する。
【００２６】
受付部３０は、本無線装置２０が、図４（ａ）の第１無線装置２０ａに相当する場合、誘導灯の動作を開始するための警報等の信号を受けつける。警報等の信号は、例えば、図示しない有線ネットワーク、無線ネットワークを介して入力される。これに限らず、受付部３０には、図示しないボタンが備えられており、当該ボタンが管理者によって押し下げられることによって、警報等の信号が入力されてもよい。また、受付部３０には、図示しないセンサが備えられており、地震等の災害の発生を当該センサが検知した場合に、警報等の信号が入力されてもよい。さらに、電力系統が停電した場合に、警報等の信号が入力されてもよい。受付部３０は、信号を受けつけると、指示部２８に対して、動作の開始時を指示する。指示部２８は、指示を受けつけると、前述のごとく、パケット信号を生成する。
【００２７】
記憶部２４は、受信部３２からの組合せを入力する。記憶部２４は、受けつけた組合せを記憶することによって、受信部３２において受信したパケット信号の順番にしたがって、送信元を示す情報と宛先を示す情報との組合せを記憶する。これは、受信部３２において受信したパケット信号の履歴を記憶することに相当する。図５は、記憶部２４に記憶されるデータベースのデータ構造を示す。図示のごとく、送信元欄２００、宛先欄２０２、受信時刻欄２０４が含まれる。送信元欄２００と宛先欄２０２には、前述の組合せが記憶される。また、受信時刻欄２０４には、組合せが含まれたパケット信号の受信時刻が示される。図３に戻る。
【００２８】
予測部２６は、受信部３２からの組合せを入力する。予測部２６は、記憶部２４に記憶した組合せの履歴と、受信部３２から入力した組合せをもとに、本無線装置２０が宛先となるパケット信号の受信のタイミングを予測する。本無線装置２０が第５無線装置２０ｅであるとすれば、図５のデータベースによると、時刻「Ｄ」に本無線装置２０が宛先となるパケット信号が受信されている。一方、第１無線装置２０ａから第２無線装置２０ｂへのパケット信号は、時刻「Ａ」に受信されている。そのため、第１無線装置２０ａから第２無線装置２０ｂへのパケット信号を受信してから時間「Ｄ−Ａ」経過後に、本無線装置２０が宛先となるパケット信号を受信すると予想される。また、図５に示された他の組合せを参照すると、例えば、第２無線装置２０ｂから第３無線装置２０ｃへのパケット信号を受信してから時間「Ｄ−Ｂ」経過後に、本無線装置２０が宛先となるパケット信号を受信すると予想される。
【００２９】
そのため、予測部２６は、現在、受けつけた組合せを過去に受信した時刻「Ｘ」をデータベースから特定するとともに、その後に、本無線装置２０が宛先となるパケット信号を受信した時刻「Ｙ」もデータベースから特定する。予測部２６は、「Ｙ−Ｘ」を計算することによって、本無線装置２０が宛先となるパケット信号を受信するまでの時間差を計算する。さらに、予測部２６は、現在、受けつけた組合せの受信時刻に時間差を加算することによって、本無線装置２０が宛先となるパケット信号の受信のタイミングを予測する。なお、予測部２６は、複数の組合せから予想した受信のタイミングに対して、平均等の統計処理を実行することによって、最終的な受信のタイミングを予想してもよい。予測部２６は、受信のタイミングを指示部２８に出力する。
【００３０】
指示部２８は、予測部２６から、受信のタイミングを受けつける。指示部２８は、受信のタイミングまでに、宛先が本無線装置２０であるパケット信号を受信しているかを確認する。確認の処理、宛先が本無線装置２０であるパケット信号を受信している場合の処理は、これまで通りであるので、ここでは説明を省略する。一方、宛先が本無線装置２０であるパケット信号を受信していない場合、つまり予測部２６において予測したタイミングが到来しても、本無線装置２０が宛先となる信号を非受信である場合、指示部２８は、送信部３４にパケット信号の送信を指示する。これは、疑似の受信タイミングを生成することに相当する。送信部３４は、指示を受けつけると、前述のごとく、パケット信号を送信する。
【００３１】
ここで、指示部２８は、予測部２６において予想したタイミングに所定の期間をマージンとして加えてもよい。その際、マージンが加えられたタイミングが、これまでの受信のタイミングとして扱われる。この処理が発生する場合は、図４（ｆ）に相当する。図４（ｆ）では、第４無線装置２０ｄから送信されたパケット信号が、第５無線装置２０ｅに受信されない。その際、第５無線装置２０ｅは、図４（ｂ）から図４（ｄ）において受信したパケット信号をもとに、受信のタイミングを推定し、パケット信号を送信する。
【００３２】
また、指示部２８は、処理部４０に接続されており、送信部３４にパケット信号の送信を指示した場合に、その旨を処理部４０にも通知する。処理部４０は、照明部４２に接続されており、処理部４０からの通知を受けつけた場合に、所定の期間にわたって照明部４２を点灯させ、所定の期間経過後に照明部４２を消灯させる。つまり、処理部４０は、受信部３２において受信したパケット信号をもとに、照明部４２の点灯と、点灯に続く消灯とを指示する。また、処理部４０は、指示部２８がパケット信号の送信を指示した場合、受信部３２において本無線装置２０宛のパケット信号が受信されていなくても、照明部４２の点灯と、点灯に続く消灯とを指示する。なお、誘導灯１０に対する点灯と消灯との繰り返しを終了させる場合、複数の無線装置２０間において、消灯することを指示するためのパケット信号が転送されればよい。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３４】
以上の構成による誘導灯システム１００の動作を説明する。図６は、無線装置２０と誘導灯１０による処理手順を示すフローチャートである。受信部３２は、他の無線装置２０宛のパケット信号を受信する（Ｓ１０）。予測部２６は、パケット信号の受信タイミングを予測する（Ｓ１２）。指示部２８は、パケット信号を受信すれば（Ｓ１４のＹ）、受信タイミングを取得する（Ｓ１６）。指示部２８は、パケット信号を受信しなければ（Ｓ１４のＮ）、疑似の受信タイミングを生成する（Ｓ１８）。送信部３４は、パケット信号を送信する（Ｓ２０）。処理部４０は、照明部４２を点灯してから（Ｓ２２）、消灯する（Ｓ２４）。
【００３５】
本実施例によれば、受信したパケット信号の履歴をもとに、本無線装置が宛先となるパケット信号の受信のタイミングを予測し、受信タイミングになってもパケット信号を受信しない場合であっても、パケット信号を送信するので、パケット信号の転送が中断される可能性を低減できる。また、パケット信号の転送が中断される可能性が低減されるので、誘導灯の点灯を指示するために無線通信を利用できる。また、誘導灯の点灯を指示するために無線通信が利用されるので、設備規模の増加を抑制しながら、避難場所へ誘導できる。
【００３６】
また、パケット信号には、送信元を示す情報と宛先を示す情報との組合せが含まれているので、組合せの履歴にしたがって受信タイミングを予想できる。また、パケット信号には、送信元を示す情報と宛先を示す情報との組合せが含まれているので、隣接した無線装置間に、新たな無線装置を増設する場合であっても、当該新たな無線装置を経由した転送を実現できる。また、新たな無線装置を経由した転送が実現されるので、経路の変更を簡易に実行できる。また、予測したタイミングが到来しても所定の期間が経過するまで、本無線装置が宛先となるパケット信号が非受信であるかを判定しないので、処理遅延等の影響を抑制できる。
【００３７】
本発明の一態様の概要は、次の通りである。本発明のある態様の無線装置２０は、信号を転送する無線装置２０であって、他の無線装置２０からの信号を受信する受信部３２と、受信部３２において受信した信号の宛先が本無線装置２０である場合に、信号を送信する送信部３４と、受信部３２において受信した信号の履歴を記憶する記憶部２４と、記憶部２４に記憶した履歴と、受信部３２において受信した信号をもとに、本無線装置２０が宛先となる信号の受信のタイミングを予測する予測部２６と、予測部２６において予測したタイミングが到来しても、受信部３２において、本無線装置２０が宛先となる信号を非受信である場合に、送信部３４に信号の送信を指示する指示部２８と、を備える。
【００３８】
受信部３２において受信した信号には、送信元を示す情報と宛先を示す情報との組合せが含まれており、記憶部２４は、履歴として、受信した信号の順番にしたがって、送信元を示す情報と宛先を示す情報との組合せを記憶し、予測部２６は、記憶部２４に記憶した組合せと、受信部３２において受信した信号に含まれた組合せとをもとに、タイミングを予測してもよい。
【００３９】
指示部２８は、予測部２６において予測したタイミングが到来してから所定の期間が経過しても、受信部３２において、本無線装置２０が宛先となる信号を非受信である場合に、送信部３４に信号の送信を指示してもよい。
【００４０】
本無線装置２０は、誘導灯１０に接続されており、受信部３２において受信した信号によって、誘導灯１０の点灯と、点灯に続く消灯とが指示され、指示部２８が送信を指示した場合、受信部３２において信号が受信されていなくても、誘導灯１０の点灯と、点灯に続く消灯とがなされてもよい。
【００４１】
本発明のさらに別の態様は、誘導灯システム１００である。この誘導灯システム１００は、信号を転送する複数の無線装置２０を備える。複数の無線装置２０のうちの少なくとも１つは、他の無線装置２０からの信号を受信する受信部３２と、受信部３２において受信した信号の宛先が本無線装置２０である場合に、信号を送信する送信部３４と、受信部３２において受信した信号の履歴を記憶する記憶部２４と、記憶部２４に記憶した履歴と、受信部３２において受信した信号をもとに、本無線装置２０が宛先となる信号の受信のタイミングを予測する予測部２６と、予測部２６において予測したタイミングが到来しても、受信部３２において、本無線装置２０が宛先となる信号を非受信である場合に、送信部３４に信号の送信を指示する指示部２８と、を備える。
【００４２】
（実施例２）
次に実施例２を説明する。実施例２は、実施例１と同様に、避難経路に沿って設置された複数の誘導灯を含む誘導灯システムに関する。実施例２でも、複数の誘導灯のそれぞれは、無線装置に接続されており、無線装置間においてマルチホップにより信号が伝送され、信号の伝送に追従して、点灯する誘導灯が切りかわっていく。実施例１においては、パケット信号の中に、送信元を示す情報と宛先を示す情報との組合せが含まれている。一方、実施例２においては、送信元を示す情報がパケット信号に含まれるが、宛先を示す情報がパケット信号に含まれていない。これは、複数の無線装置２０によるパケット信号の転送順がすべての無線装置２０において既知であることを想定するためである。転送順が既知であるので、送信元を示す情報により自動的に宛先が導出される。実施例２に係る照明設備１８、誘導灯システム１００、無線装置２０と誘導灯１０は、図１から図３と同様のタイプである。ここでは差異を中心に説明する。
【００４３】
受信部３２は、パケット信号を受信するが、当該パケット信号には、送信元を示す情報が含まれている。指示部２８は、受信部３２において受信したパケット信号に含まれた送信元を示す情報と、受信部３２において受信したパケット信号の宛先との関係を予め認識している。指示部２８は、受信部３２において受信したパケット信号に含まれた送信元を示す情報から、当該パケット信号の宛先が本無線装置２０であるか否かを判定する。当該パケット信号の宛先が本無線装置２０であれば、指示部２８は、これまでと同様の処理を実行する。
【００４４】
記憶部２４は、履歴として、受信したパケット信号の順番にしたがって、送信元を示す情報を記憶する。図７は、本発明の実施例２に係る記憶部２４に記憶されるデータベースのデータ構造を示す。図示のごとく、送信元欄２１０、受信タイミング欄２１２が含まれる。送信元欄２００には、送信元を示す情報が記憶される。また、受信タイミング欄２１２には、送信元を示す情報が含まれたパケット信号の受信時刻が示される。図３に戻る。予測部２６は、記憶部２４に記憶した送信元を示す情報と、受信部３２において受信したパケット信号に含まれた送信元を示す情報とをもとに、タイミングを予測する。
【００４５】
本実施例によれば、パケット信号には、送信元を示す情報が含まれており、宛先を示す情報が含まれていないので、パケット信号に含めるべき情報量を低減できる。また、パケット信号に含めるべき情報量が低減されるので、パケット信号の誤り率を低減できる。また、パケット信号の転送の確実性を向上できる。
【００４６】
本発明の一態様の概要は、次の通りである。受信部３２において受信した信号には、送信元を示す情報が含まれており、送信部３４は、受信部３２において受信した信号に含まれた送信元を示す情報と、受信部３２において受信した信号の宛先との関係を予め認識しており、受信部３２において受信した信号に含まれた送信元を示す情報から、受信部３２において受信した信号の宛先が本無線装置２０であるか否かを判定し、記憶部２４は、履歴として、受信した信号の順番にしたがって、送信元を示す情報を記憶し、予測部２６は、記憶部２４に記憶した送信元を示す情報と、受信部３２において受信した信号に含まれた送信元を示す情報とをもとに、タイミングを予測してもよい。
【００４７】
（実施例３）
次に、実施例３を説明する。実施例３は、これまでと同様に、避難経路に沿って設置された複数の誘導灯を含む誘導灯システムに関する。これまでは、複数の誘導灯のそれぞれは、無線装置に接続されており、無線装置間においてマルチホップにより信号が伝送され、信号の伝送に追従して、点灯する誘導灯が切りかわっている。一方、実施例３においては、各無線装置が同期しており、誘導を開始させるトリガーとなる信号は、これまでと同様にマルチホップにより伝送される。その後、各無線装置は信号を伝送せず、各誘導灯は、定期的に点灯と消灯を繰り返す。実施例３に係る照明設備１８、誘導灯システム１００は、図１、図２と同様のタイプである。ここでは差異を中心に説明する。
【００４８】
図８は、本発明の実施例３に係る無線装置２０と誘導灯１０の構成を示す。無線装置２０は、通信部２２、指示部２８、ＧＰＳ受信部５０、同期部５２を含み、通信部２２は、受信部３２、送信部３４を含む。また、誘導灯１０は、処理部４０、照明部４２を含む。
【００４９】
受信部３２は、他の無線装置２０からのパケット信号であって、かつ誘導灯１０の点灯と、点灯に続く消灯とが指示されるパケット信号を受信する。このパケット信号が、前述のトリガーとなる信号に相当する。なお、当該パケット信号には、実施例１と同様に、送信元を示す情報と宛先を示す情報との組合せも含まれている。受信部３２は、指示および組合せを指示部２８に出力する。
【００５０】
指示部２８は、受信部３２からの指示および組合せを入力する。指示部２８は、実施例１と同様に、受信部３２において受信したパケット信号の宛先が本無線装置２０である場合に、パケット信号を生成し、当該パケット信号の送信を送信部３４に指示する。その際、指示部２８は、パケット信号に指示を含める。また、指示部２８は、指示を処理部４０に出力する。送信部３４は、指示部２８から受けつけたパケット信号を送信する。
【００５１】
ＧＰＳ受信部５０は、図示しないＧＰＳ衛星からの信号を受信する。同期部５２は、ＧＰＳ受信部５０において受信した信号をもとに、ＧＰＳに同期したタイミングを取得する。なお、他の無線装置２０においても、ＧＰＳに同期したタイミングが取得されているので、これは、他の無線装置２０に同期したタイミングを取得することに相当する。同期部５２は、同期したタイミングを処理部４０に出力する。
【００５２】
処理部４０は、指示部２８からの指示を受けつけるとともに、同期部５２からのタイミングを受けつける。処理部４０は、同期部５２において取得したタイミングをもとに、指示を受けつけてから一定間隔毎に、照明部４２に対して点灯と、点灯に続く消灯とを実行する。この一定間隔および点灯している期間は、すべての誘導灯１０において共通する。そのため、図２（ｂ）−（ｉ）に示すような誘導の動作が可能になる。なお、誘導の動作の終了は、誘導灯１０の点灯および消灯の終了が指示されるパケット信号が転送されることによって各無線装置２０に通知される。このパケット信号の転送はこれまでと同様に慣れればよいので、ここでは説明を省略する。
【００５３】
以上の構成による誘導灯システム１００の動作を説明する。図９は、無線装置２０と誘導灯１０による処理手順を示すフローチャートである。受信部３２は、パケット信号を受信しなければ（Ｓ５０のＮ）、待機する。受信部３２がパケット信号を受信すれば（Ｓ５０のＹ）、処理部４０は、照明部４２に対して定期的に点灯・消灯を繰り返させる（Ｓ５２）。受信部３２がパケット信号を受信しなければ（Ｓ５４のＮ）、ステップ５２に戻る。受信部３２がパケット信号を受信すれば（Ｓ５４のＹ）、処理は終了される。
【００５４】
本実施例によれば、誘導動作を開始させるためのトリガーとなるパケット信号は転送するが、その後は、無線装置および誘導灯が自立して点灯および消灯を繰り返すので、無線通信が原因となる誘導動作の失敗を回避できる。また、複数の無線装置のそれぞれは、同期しているので、パケット信号が転送されなくても、誘導動作を実行できる。また、他の無線装置と同期するために、ＧＰＳを使用するので、コストの上昇を抑制できる。
【００５５】
本発明の一態様の概要は、次の通りである。本発明の別の態様もまた、無線装置２０である。この装置は、信号を転送し、かつ誘導灯１０に接続された無線装置２０であって、他の無線装置２０からの信号であって、かつ誘導灯１０の点灯と、点灯に続く消灯とが指示される信号を受信する受信部３２と、受信部３２において受信した信号の宛先が本無線装置２０である場合に、信号を送信する送信部３４と、他の無線装置２０に同期したタイミングを取得する同期部５２とを備える。同期部５２において取得したタイミングをもとに、受信部３２において信号を受信してから一定間隔毎に、誘導灯１０の点灯と、点灯に続く消灯とがなされる。
【００５６】
本発明のさらに別の態様もまた、誘導灯システム１００である。この誘導灯システム１００は、信号を転送し、かつ誘導灯１０に接続された複数の無線装置２０を備える。複数の無線装置２０のうちの少なくとも１つは、他の無線装置２０からの信号であって、かつ誘導灯１０の点灯と、点灯に続く消灯とが指示される信号を受信する受信部３２と、受信部３２において受信した信号の宛先が本無線装置２０である場合に、信号を送信する送信部３４と、他の無線装置２０に同期したタイミングを取得する同期部５２とを備える。同期部５２において取得したタイミングをもとに、受信部３２において信号を受信してから一定間隔毎に、誘導灯１０の点灯と、点灯に続く消灯とがなされる。
【００５７】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【符号の説明】
【００５８】
１０  誘導灯、  １２  防犯灯、  １４  蓄電ボックス、  １６  ポール、  １８  照明設備、  ２０  無線装置、  ２２  通信部、  ２４  記憶部、  ２６  予測部、  ２８  指示部、  ３０  受付部、  ３２  受信部、  ３４  送信部、  ４０  処理部、  ４２  照明部、  １００  誘導灯システム（通信システム）。
【図１】
2016164763.tif 000003
【図２】
2016164763.tif 000004
【図３】
2016164763.tif 000005
【図４】
2016164763.tif 000006
【図５】
2016164763.tif 000007
【図６】
2016164763.tif 000008
【図７】
2016164763.tif 000009
【図８】
2016164763.tif 000010
【図９】
2016164763.tif 000011